(57)【特許請求の範囲】
【請求項１】
シャボン玉液を収容するための液こぼれ防止機能を有するシャボン玉容器であって、
上端中央部に開口が設けられてなる、シャボン玉液を収容させる有底の外容器と、上下端が開放された挿通孔を有する筒状を呈し且つ前記開口を通して前記外容器内に収容される筒部の上端周縁部が前記開口の周縁部に取り付けられる如くなされた内容器とを具えており、
前記外容器は、手で握ることのできる細径の下容器部の上端に、該下容器部よりも太径の上容器部が、該下容器部の軸線と略同心に連設されており、
前記内容器は、前記筒部が前記外容器内に収容された状態で該筒部の軸線が前記外容器の軸線に略合致する如くなされ、該筒部の外面と前記上容器部の内壁面との間に、該軸線回りに連続する如く拡張収容部が形成されており、
前記外容器を水平設置面に横に寝かせた状態において、その縦断側面視で、前記下容器部の下側の内周面が、前記下容器部の下端から前記下容器部の上端に向けて上方に傾斜する傾斜面とされると共に、前記上容器部の下側の内壁面が、前記下容器部の上端から前記拡張収容部の上端に向けて下方に傾斜する傾斜面とされており、
又、シャボン玉液を保持する液保持部を下端部分に具えて軸状を呈するシャボン玉形成具を、前記筒部の前記挿通孔に、その上端開口を通して挿通させることができ、該液保持部を前記下容器部に収容されているシャボン玉液に浸漬でき、
又、前記下容器部を手で握った状態において、該握った手の上部分に前記太径の上容器部が載ることができ、該上容器部が引っ掛かりとなって、前記外容器が該握った手から滑り落ちるのが防止される如くなされていることを特徴とする液こぼれ防止機能を有するシャボン玉容器。
【請求項２】
前記下容器部に所要量のシャボン玉液が収容されてなる状態で前記外容器を横に寝かせた状態としたとき、前記下容器部に収容されていたシャボン玉液が該下容器部と前記拡張収容部とに分かれて収容された状態となり、この状態で、該シャボン玉液の液面が前記筒部の前記挿通孔の下の端部よりも下に位置するようになされ、
又、前記外容器が前記内容器の上端開口を下向きにした傾斜状態を呈したとき、前記下容器部に収容されていたシャボン玉液が、前記拡張収容部に収容された状態となり、或いは、該拡張収容部と該下容器部とに分かれて収容された状態となるようになされており、該シャボン玉液の液面が、前記筒部の前記挿通孔の上の端部よりも下に位置するようにされており、
又、前記外容器が逆様状態を呈したとき、前記下容器部に収容されていたシャボン玉液が、前記拡張収容部に収容された状態となり、或いは、該拡張収容部と該下収容部とに分かれて収容された状態となるようになされており、該シャボン玉液の液面が、前記筒部の前記挿通孔の上の端部よりも下に位置するようになされていることを特徴とする請求項１記載の液こぼれ防止機能を有するシャボン玉容器。
【請求項３】
前記外容器は、手で握ることのできる細径の下容器部の上端に、該下容器部よりも太径の上容器部が、該下容器部の軸線と略同心に連設されており、
前記外容器を水平設置面に、横に寝かせた状態に載置したとき、前記下容器部と前記上容器部の連結部分が前記水平設置面から浮き上がることによって、該連結部分の下側に、指先を入れるための指先挿入空間が設けられることを特徴とする請求項１又は２記載の液こぼれ防止機能を有するシャボン玉容器。
【請求項４】
前記上容器部の上端縁部は、前記水平設置面に当接し得る転がり防止部を具えていることを特徴とする請求項１〜３の何れかに記載の液こぼれ防止機能を有するシャボン玉容器。
【請求項５】
前記内容器は、前記筒部の上側部分が、上方に向けてロート状に拡大するロート状部として形成されていることを特徴とする請求項１〜５の何れかに記載の液こぼれ防止機能を有するシャボン玉容器。
【請求項６】
前記下容器部の内周面は、周方向で見て平滑な円形の周面として形成されていることを特徴とする請求項１〜５の何れかに記載の液こぼれ防止機能を有するシャボン玉容器。
【請求項７】
前記内容器を構成する前記筒部の下側部分は、前記液保持部を前記下容器部から引き上げる際に該液保持部をガイドするガイド筒部とされ、該ガイド筒部は、その上端からその下端に向けて拡大していることを特徴とする請求項１〜６の何れかに記載の液こぼれ防止機能を有するシャボン玉容器。
【請求項８】
シャボン玉液を収容するための液こぼれ防止機能を有するシャボン玉容器であって、
上端中央部に開口が設けられてなる、シャボン玉液を収容させる有底の外容器と、上下端が開放された挿通孔を有する筒状を呈し且つ前記開口を通して前記外容器内に収容される筒部の上端周縁部が前記開口の周縁部に取り付けられる如くなされた内容器とを具えており、
前記外容器は、手で握ることのできる細径の下容器部の上端に、該下容器部よりも太径の上容器部が、該下容器部の軸線と略同心に連設されており、
前記内容器は、前記筒部が前記外容器内に収容された状態で該筒部の軸線が前記外容器の軸線に略合致する如くなされ、該筒部の外面と前記上容器部の内壁面との間に、該軸線回りに連続する如く拡張収容部が形成されており、
又、シャボン玉液を保持する液保持部を下端部分に具えて軸状を呈するシャボン玉形成具を、前記筒部の前記挿通孔に、その上端開口を通して挿通させることができ、該液保持部を前記下容器部に収容されているシャボン玉液に浸漬でき、
又、前記下容器部を手で握った状態において、該握った手の上部分に前記太径の上容器部が載ることができ、該上容器部が引っ掛かりとなって、前記外容器が該握った手から滑り落ちるのが防止される如くなされており、
前記内容器を構成する前記筒部の下側部分は、前記液保持部を前記下容器部から引き上げる際に該液保持部をガイドするガイド筒部とされ、該ガイド筒部は、その上端からその下端に向けて拡大していることを特徴とする液こぼれ防止機能を有するシャボン玉容器。
【請求項９】
前記下容器部に所要量のシャボン玉液が収容されてなる状態で前記外容器を横に寝かせた状態としたとき、前記下容器部に収容されていたシャボン玉液が該下容器部と前記拡張収容部とに分かれて収容された状態となり、この状態で、該シャボン玉液の液面が前記筒部の前記挿通孔の下の端部よりも下に位置するようになされ、
又、前記外容器が前記内容器の上端開口を下向きにした傾斜状態を呈したとき、前記下容器部に収容されていたシャボン玉液が、前記拡張収容部に収容された状態となり、或いは、該拡張収容部と該下容器部とに分かれて収容された状態となるようになされており、該シャボン玉液の液面が、前記筒部の前記挿通孔の上の端部よりも下に位置するようにされており、
又、前記外容器が逆様状態を呈したとき、前記下容器部に収容されていたシャボン玉液が、前記拡張収容部に収容された状態となり、或いは、該拡張収容部と該下収容部とに分かれて収容された状態となるようになされており、該シャボン玉液の液面が、前記筒部の前記挿通孔の上の端部よりも下に位置するようになされていることを特徴とする請求項８記載の液こぼれ防止機能を有するシャボン玉容器。
【発明の詳細な説明】
【技術分野】
【０００１】
本発明は、液こぼれ防止機能を有するシャボン玉容器に関するものである。より詳しくは、横に寝かせた状態にしても、傾けても、更には逆様状態にしても、収容されているシャボン玉液がこぼれるのを防止し得るように構成された液こぼれ防止機能を有するシャボン玉容器に関するものである。
【背景技術】
【０００２】
図３１は、市販の一般的なシャボン玉玩具ａであり、上端が開放された円筒状を呈する容器ｂ内にシャボン玉液ｃを収容してなり、シャボン玉を形成する際は、ストローｄの筒先部ｅを容器のシャボン玉液ｃに沈めて該筒先部ｅにシャボン玉液ｃを付着させ、その後ストローｄを引き上げて吹き口ｆより吹くことによってシャボン玉を形成するように構成されていた。
【０００３】
ところで幼児例えば２〜３歳児にシャボン玉玩具を初めて与えたときは、幼児は、容器内のシャボン玉液を飲もうとする動作を行う場合がある。そのため保護者は、幼児がシャボン玉液を誤飲しないように常に監視を怠らないようにしなければならなかった。又、幼児は同じ場所でじっとしていられないために、そのシャボン玉容器を持って走り回ることがよく見られる。そのため通常の容器であれば、幼児が数歩走っただけでもその際の動揺によって容器中のシャボン玉液に波立ちが生じて液がこぼれてしまうことも多かった。又幼児が、シャボン玉遊びの途中で容器を床面等の水平面に立てても、これに幼児等の手が触れる等して容器が倒れてシャボン玉液がこぼれてしまうこともあった。なお幼児にとっては、該容器を床面等の水平面に立てること自体が難しいため、一旦は立てても直ぐに倒れてしまうこともよくあった。その場合は、シャボン玉液がこぼれてしまうことになった。更に幼児は、シャボン玉容器を逆様にしてシャボン玉液をこぼすこともよく見られた。
【０００４】
そこで、シャボン玉液のこぼれを減少させんとして特許文献１記載のシャボン玉形成玩具が提供されている。この玩具を構成するシャボン玉容器は、開口部を小さい口径にしてシャボン玉液のこぼれを極力防止せんとするものであった。しかしながら、該シャボン玉容器が横転した場合はその開口部からシャボン玉液がこぼれるのは避けられなかった。
【０００５】
ところで、容器が転倒したときにも容器内に収容されている液体のこぼれを防止せんとして特許文献２が開示する液こぼれ防止容器が提供されている。液こぼれ防止容器ｇは、例えば図３２（Ａ）に示すように、上下方向の全長に亘って略同径の円筒状を呈する外容器ｈの上端開口に、ロート状部材ｋの大径孔側ｍを取り付けると共に、その小径孔側ｎを該外容器ｈ内に位置させてなり、該ロート状部材ｋの外面ｐと該外容器ｈの内壁面ｑとの間に液溜まり部ｒを形成した構成を有していた。
【０００６】
そして該液こぼれ防止容器ｇが横転したときは図３２（Ｂ）に示すように、収容されている液体ｓを前記液溜まり部ｒにも溜めることができて液こぼれを防止でき、又、前記液こぼれ防止容器ｇが図３２（Ｃ）に示すように転倒したときは、前記液体を前記液溜まり部ｒに溜めることができるため、液こぼれを防止できた。このように特許文献２に係る液こぼれ防止容器ｇによるときは、外容器ｈに収容する液量を所要に設定することにより、該液こぼれ防止容器ｇが横転したときにも、又転倒したときにも液こぼれを防止できる利点があった。
【０００７】
しかしながら、かかる液こぼれ防止容器ｇによるときは、前記外容器ｈが、上下方向での直径が略等しい円筒状を呈するものであったため、その底部で水平面に設置した場合における水深は、該容器に収容し得る液量に制約があることからそれ程大きく設定することができなかった。
【０００８】
そのため、かかる液こぼれ防止容器をシャボン玉液容器として使用した場合は、該外容器ｋにおける水深が小さすぎて、前記ストローの筒先部を所要にシャボン玉液に浸漬けることができない場合が生じてしまう。そのため、該筒先部を所要に浸漬させんとして該外容器ｋにおける水深を大きくしようとするが、図３２（Ａ）に示す構成の液こぼれ防止容器では、これが横転したり転倒したときに液こぼれが生ずる恐れがあった。そのため特許文献２記載の技術によるときは、この液こぼれを防止するためには図３３（特許文献２の図５、図８、図９）に示すように、前記ロート状部材ｋの内側にもロート状部材ｔを設け、外側のロート状部材ｋの端部開口ｕからこぼれた液体を、該外側のロート状部材ｋと該内側のロート状部材ｔとの間の補助収容部ｖに流入させる構成を採用せざるを得ないことになる。しかし、このようにロート状部材を二重に設けることは容器構造上の複雑化を招くことになる。
【０００９】
又特許文献２に示されているように、前記外容器ｋの外径が大きい場合は、幼児がこれを握ることができない場合が生じてシャボン玉容器として不適切であった。更に、仮に幼児が該外容器ｋを握ることができたとしても、シャボン玉遊びをしている間に前記筒先部から垂れたシャボン玉液が該外容器ｋの容器外面ｗ（図３２（Ａ）、図３３（Ａ））に付着してシャボン玉容器が滑り易くなる結果、該シャボン玉容器が手から滑り落ちる恐れもあった。
【先行技術文献】
【特許文献】
【００１０】
【特許文献１】特開平１０−７６０７７号公報
【特許文献２】特開平１１−２２７３８８号公報
【発明の概要】
【発明が解決しようとする課題】
【００１１】
本発明は、前記従来の問題点に鑑みて開発されたものであり、姿勢を変化させてもシャボン玉液がこぼれるのを防止し得る液こぼれ防止機能を有するシャボン玉液容器の提供を課題とするものである。
【００１２】
併せて本発明は、シャボン玉液の液量をそれ程多くしなくても、ストロー等のシャボン玉形成具の液保持部をシャボン玉液に所要に浸漬できる水深を確保でき、シャボン玉遊びをしている間において容器内へのシャボン玉液の注ぎ足し回数を極力減らしてシャボン玉遊びの楽しみを増すことのできる液こぼれ防止機能を有するシャボン玉液容器の提供を課題とするものである。
【００１３】
加えて本発明は、２〜３歳児等の幼児であっても容易に手で握ることができ、握った手から滑り落ちにくい液こぼれ防止機能を有するシャボン玉液容器の提供を課題とするものである。
【課題を解決するための手段】
【００１４】
前記課題を解決するため本発明は以下の手段を採用する。
即ち本発明に係る液こぼれ防止機能を有するシャボン玉容器（以下シャボン玉容器という）は、上端中央部に開口が設けられてなる、シャボン玉液を収容させる有底の外容器と、上下端が開放された挿通孔を有する筒状を呈し且つ前記開口を通して前記外容器内に収容される筒部の上端周縁部が前記開口の周縁部に取り付けられる如くなされた内容器とを具えており、前記外容器は、手で握ることのできる細径の下容器部の上端に、該下容器部よりも太径の上容器部が、該下容器部の軸線と略同心に連設されており、前記内容器は、前記筒部が前記外容器内に収容された状態で該筒部の軸線が前記外容器の軸線に略合致する如くなされ、該筒部の外面と前記上容器部の内壁面との間に、該軸線回りに連続する如く拡張収容部が形成されている。そして、前記外容器を水平設置面に横に寝かせた状態において、その縦断側面視で、前記下容器部の下側の内周面が、前記下容器部の下端から前記下容器部の上端に向けて上方に傾斜する傾斜面とされると共に、前記上容器部の下側の内壁面が、前記下容器部の上端から前記拡張収容部の上端に向けて下方に傾斜する傾斜面とされている。又、シャボン玉液を保持する液保持部を下端部分に具えて軸状を呈するシャボン玉形成具を、前記筒部の前記挿通孔に、その上端開口を通して挿通させることができ、該液保持部を前記下容器部に収容されているシャボン玉液に浸漬でき、又、前記下容器部を手で握った状態において、該握った手の上部分に前記太径の上容器部が載ることができ、該上容器部が引っ掛かりとなって、前記外容器が該握った手から滑り落ちるのが防止される如くなされていることを特徴とするものである。
【００１５】
本発明に係るシャボン玉容器のより好ましい態様は、前記下容器部に所要量のシャボン玉液が収容されてなる状態で前記外容器を横に寝かせた状態としたとき、前記下容器部に収容されていたシャボン玉液が該下容器部と前記拡張収容部とに分かれて収容された状態となり、この状態で、該シャボン玉液の液面が前記筒部の前記挿通孔の下の端部よりも下に位置するようになされ、又、前記外容器が前記内容器の上端開口を下向きにした傾斜状態を呈したとき、前記下容器部に収容されていたシャボン玉液が、前記拡張収容部に収容された状態となり、或いは、該拡張収容部と該下容器部とに分かれて収容された状態となるようになされており、該シャボン玉液の液面が、前記筒部の前記挿通孔の上の端部よりも下に位置するようにされており、又、前記外容器が逆様状態を呈したとき、前記下容器部に収容されていたシャボン玉液が、前記拡張収容部に収容された状態となり、或いは、該拡張収容部と該下収容部とに分かれて収容された状態となるようになされており、該シャボン玉液の液面が、前記筒部の前記挿通孔の上の端部よりも下に位置するようにされていることを特徴とするものである。
【００１６】
本発明に係るシャボン玉容器のより好ましい他の態様は、前記外容器を、手で握ることのできる細径の下容器部の上端に、該下容器部よりも太径の上容器部が、該下容器部の軸線と略同心に連設されたものとし、前記外容器を水平設置面に、横に寝かせた状態に載置したとき、前記下容器部と前記上容器部の連結部分が前記水平設置面から浮き上がることによって、該連結部分の下側に、指先を入れるための指先挿入空間が設けられたものとするのがよい。
【００１７】
前記の各シャボン玉容器において、前記内容器は、前記筒部の側部分が、上方に向けてロート状に拡大するロート状部が連設されたものとして構成するのがよい。
【００１８】
前記下容器部の内周面は、周方向で見て平滑な円形の周面として形成するのがよい。
【００１９】
前記の各シャボン玉容器において、前記内容器を構成する前記筒部の下側部分は、前記液保持部を前記下容器部から引き上げる際に該液保持部をガイドするガイド筒部とし、該ガイド筒部は、その上端からその下端に向けて拡大したものとして構成するのがよい。
【００２０】
本発明に係るシャボン玉容器の他の態様は、シャボン玉液を収容するための液こぼれ防止機能を有するシャボン玉容器であって、上端中央部に開口が設けられてなる、シャボン玉液を収容させる有底の外容器と、上下端が開放された挿通孔を有する筒状を呈し且つ前記開口を通して前記外容器内に収容される筒部の上端周縁部が前記開口の周縁部に取り付けられる如くなされた内容器とを具えている。そして、前記外容器は、手で握ることのできる細径の下容器部の上端に、該下容器部よりも太径の上容器部が、該下容器部の軸線と略同心に連設されており、前記内容器は、前記筒部が前記外容器内に収容された状態で該筒部の軸線が前記外容器の軸線に略合致する如くなされ、該筒部の外面と前記上容器部の内壁面との間に、該軸線回りに連続する如く拡張収容部が形成されている。又、シャボン玉液を保持する液保持部を下端部分に具えて軸状を呈するシャボン玉形成具を、前記筒部の前記挿通孔に、その上端開口を通して挿通させることができ、該液保持部を前記下容器部に収容されているシャボン玉液に浸漬でき、又、前記下容器部を手で握った状態において、該握った手の上部分に前記太径の上容器部が載ることができ、該上容器部が引っ掛かりとなって、前記外容器が該握った手から滑り落ちるのが防止される如くなされている。そして、前記内容器を構成する前記筒部の下側部分は、前記液保持部を前記下容器部から引き上げる際に該液保持部をガイドするガイド筒部とされ、該ガイド筒部は、その上端からその下端に向けて拡大していることを特徴とするものである。
【００２１】
本発明に係るシャボン玉容器のその他の態様は、前記下容器部に所要量のシャボン玉液が収容されてなる状態で前記外容器を横に寝かせた状態としたとき、前記下容器部に収容されていたシャボン玉液が該下容器部と前記拡張収容部とに分かれて収容された状態となり、この状態で、該シャボン玉液の液面が前記筒部の前記挿通孔の下の端部よりも下に位置するようになされ、又、前記外容器が前記内容器の上端開口を下向きにした傾斜状態を呈したとき、前記下容器部に収容されていたシャボン玉液が、前記拡張収容部に収容された状態となり、或いは、該拡張収容部と該下容器部とに分かれて収容された状態となるようになされており、該シャボン玉液の液面が、前記筒部の前記挿通孔の上の端部よりも下に位置するようにされている。又、前記外容器が逆様状態を呈したとき、前記下容器部に収容されていたシャボン玉液が、前記拡張収容部に収容された状態となり、或いは、該拡張収容部と該下収容部とに分かれて収容された状態となるようになされており、該シャボン玉液の液面が、前記筒部の前記挿通孔の上の端部よりも下に位置するようになされていることを特徴とするものである。
【発明の効果】
【００２２】
本発明に係るシャボン玉容器は、細径の下容器部の上端に太径の上容器部が連設されてなる有底の外容器と、該外容器の上端中央部に設けられた開口を通して前記外容器内に挿入されて該筒部の上端周縁部が該開口の周縁部に取り付けられる如くなされた内容器を具え、前記筒部の外面と、太径の前記上容器部の内壁面との間に拡張収容部が設けられているため、以下の如き優れた効果を奏する。
【００２３】
(1) 本発明によるときは、シャボン玉遊びを楽しむことができるのは元より、前記拡張収容部の収容液量増大作用によって、シャボン玉容器の姿勢を前記内容器の上端開口が上向き状態から下向き状態を呈するように変化させたとしても、容器内のシャボン玉液がこぼれるのを防止できる。かかることから、幼児がシャボン玉液を誤飲したり、幼児が、シャボン玉容器を持って走り回ったりシャボン玉溶器を好奇心から逆様にしたとしても、容器内のシャボン玉液がこぼれるのを防止できる。
【００２４】
このような独特の効果が得られるのは次の理由による。即ち本発明は、太径の上容器部側で拡張収容部を構成することによる収容液量増大作用によって、シャボン玉容器の姿勢が前記のように変化したとしても容器内のシャボン玉液が前記筒部内に流入するのを防止できるからである。但し、該拡張収容部による収容液量増大が図られるとしても、前記姿勢変化の際にシャボン玉液が前記筒部内に流入してこぼれないようにするためには、容器内に収容できる最大液量は比較的少なめに制約されざる得ない。そこで本発明においては前記下容器部を細径に構成することとして、比較的少なめの液量であっても該下容器部内における水深をできるだけ大きく確保できるようにしている。これによって、前記シャボン玉形成具の前記液保持部を該下容器部の収容液に所要に浸漬できることとなり、その結果、シャボン玉遊びをしている間において容器内へのシャボン玉液の継ぎ足し回数を極力減らすことができることとなる。本発明は、これらの理由によって前記独特の効果を奏し得るのである。
【００２５】
(2) 前記下容器部を細径に形成することから２〜３歳の幼児であってもシャボン玉容器を該下容器部で握り易い。そして、このように下容器部を握った状態において、太径の前記上容器部の下側部分が、握った手に対する引っ掛かりとなるため、シャボン玉遊びをしている間に前記液保持部から垂れたシャボン玉液が容器外面に付着して滑り易くなったときも、シャボン玉容器が手から滑る落ちるのを防止できる。
【００２６】
又、このように手で握った状態で幼児が走り回ったとしても、前記拡張収容部の上端が前記上容器部の上面部で閉塞されているため、その際の動揺で容器内のシャボン玉液が波立ち状態になったとしても、該上面部が波消し作用を呈するため、液こぼれを防止できることとなる。例え液がこぼれたとしても、その量を僅かに止めることができる。
【００２７】
(3) 本発明に係るシャボン玉容器を床面等の水平設置面に横に寝かせた状態で載置したとしてもシャボン玉液がこぼれない。即ち、このように横に寝かせた状態にしたときは、前記シャボン玉容器は、前記下容器部がその下端からその上端に向けて上方に傾斜した傾斜状態を呈し、これによって、該下容器部に収容されていたシャボン玉液が、該下容器部と、太径の上容器部によって構成されている容積の大きい前記拡張収容部とに分かれて収容された状態となる。かかることから容器内のシャボン玉液の液面は前記筒部の挿通孔の下の端部よりも下に位置するので、シャボン玉液がこぼれるのを防止できるのである。
【００２８】
そのため幼児は、容器を横に寝せておけば良く、これを立てておくという難しい操作を行わなくて済む。かかることから本発明によるときは、シャボン玉容器の取り扱い性が向上するので、幼児にとってシャボン玉遊びの楽しみを増すことができる。
【００２９】
(4) 前記外容器を水平設置面に横に寝かせた状態に載置したときに、前記下容器部と前記上容器部との連結部分が該水平設置面から浮き上がることによって該連結部分の下側に指先挿入空間が設けられるように構成するときは、幼児などが、該指先空間の両側部分に指先を入れてシャボン玉容器を容易に掴むことができ、シャボン玉容器を取り上げやすい利点がある。
【００３０】
(5) 前記上容器部の上端縁部を、前記水平設置面に線状等に当接し得る転がり防止部を具える如く構成する場合は、シャボン玉容器が転がるのを防止できるため、幼児であっても、該水平設置面にある該シャボン玉容器を取り上げやすい。
【００３１】
(6) 前記筒部の上側部分をロ−ト状部としたときは、前記液保持部が、該ロ−ト状部の円錐状の内周面に案内されつつ前記筒部の下端開口を通して下容器部内に円滑に誘導されることになる。かかることから、幼児であっても該液保持部を下容器部内に入れやすい。
【００３２】
(7) 前記内容器を構成する前記筒部の下側部分をガイド筒部とするときは、前記シャボン玉形成具の前記液保持部を前記下容器部から引き上げる際に、これが該ガイド筒部にガイドされるために引き上げ易い。
【００３３】
(8) 前記下容器部の内周面を、周方向で見て平滑な円形の周面として形成する場合は、例えば幼児がシャボン玉容器を持って走り回ったとしても、容器内の液の乱れを生じ難くでき、下容器部内で波立ちを起こさせ難い。
【００３４】
(9) 前記外容器を構成する前記上容器部と前記下容器部とを着脱可能とするときは、例えば幼児が容器内にビ−玉おもちゃや砂等の異物を入れた場合であっても、両者を分離することによりその取り出しや外容器内の洗浄を容易に行うことができる。
【図面の簡単な説明】
【００３５】
【図１】幼児がシャボン玉容器を手で持った状態をシャボン玉形成具と共に示す斜視図である。
【図２】シャボン玉容器を示す分解斜視図である。
【図３】シャボン玉容器の下容器部に収容されたシャボン玉液に、シャボン玉形成具の液保持部を浸漬した状態を示す断面図である。
【図４】シャボン玉容器を水平設置面に横に寝かせた状態で載置した状態を示す斜視図である。
【図５】横に寝かせたシャボン玉容器の内部におけるシャボン玉液の収容状態を示す断面図である。
【図６】シャボン玉容器の転がり防止作用を説明する説明図である。
【図７】横に寝かせたシャボン玉容器の取り上げの容易性を説明する説明図である。
【図８】傾けた状態にあるシャボン玉容器の内部におけるシャボン玉液の収容状態を説明する断面図である。
【図９】逆様状態のシャボン玉容器の内部におけるシャボン玉液の収容状態を説明する断面図である。
【図１０】細径部を有さないシャボン玉容器の問題点を説明する説明図である。
【図１１】シャボン玉容器の他の実施例をその内部におけるシャボン玉液の収容状態と共に示す斜視図と断面図である。
【図１２】シャボン玉容器の他の実施例をその内部におけるシャボン玉液の収容状態と共に示す斜視図と断面図である。
【図１３】シャボン玉容器の他の実施例をその内部におけるシャボン玉液の収容状態と共に示す斜視図と断面図である。
【図１４】シャボン玉容器の他の実施例をその内部におけるシャボン玉液の収容状態と共に示す斜視図と断面図である。
【図１５】リング状の液保持部を具えるシャボン玉形成具を用いる場合におけるシャボン玉容器を説明する斜視図である。
【図１６】そのシャボン玉容器を構成する外容器と内容器を示す斜視図である。
【図１７】リング状の液保持部を、シャボン玉容器の下容器部に収容されているシャボン玉液に浸漬した状態を示す断面図である。
【図１８】そのシャボン玉容器を寝かせた状態と傾けた状態と逆様にした状態における容器内部のシャボン玉液の収容状態を示す断面図である。
【図１９】内容器の筒部の下側部分を楕円筒状に構成した内容器と、これを外容器に装着して構成されたシャボン玉容器を、その下容器部に収容されているシャボン玉液にリング状の液保持部を浸漬した状態で示す断面図である。
【図２０】下容器部と上容器部とを着脱可能に連結して構成された外容器を説明する側面図と断面図である。
【図２１】下容器部と上容器部とを着脱可能に連結してなる外容器の他の態様を示す正面図と断面図である。
【図２２】筒部が円筒状に構成された内容器を示す斜視図と、これを外容器に装着して構成されたシャボン玉容器を示す断面図である。
【図２３】筒部が楕円形筒部として構成されてなる内容器と、該内容器が装着される外容器を示す斜視図である。
【図２４】内容器を構成する筒部がその上端からその下端に向けて拡大するシャボン玉容器を示す断面図である。
【図２５】転がり防止部の他の態様を説明する説明図である。
【図２６】上容器部が円錐筒状に構成されてなるシャボン玉容器を示す斜視図とその寝かせた状態における問題点を説明する説明図である。
【図２７】外容器と内容器とを螺合手段によって連結する場合を示す斜視図と断面図である。
【図２８】外容器と内容器とを嵌合手段によって連結する場合を示す斜視図と断面図である。
【図２９】内容器の下側部分がガイド筒部として構成されたシャボン玉容器を示す断面図である。
【図３０】上容器部が横断面六角形状に構成されてなるシャボン玉容器を示す斜視図である。
【図３１】従来のシャボン玉容器を示す斜視図である。
【図３２】従来のシャボン玉容器の他の態様を説明する断面図である。
【図３３】従来のシャボン玉容器の他の態様を説明する断面図である。
【発明を実施するための形態】
【実施例１】
【００３６】
図１〜３において本発明に係るシャボン玉容器（以下、容器ともいう）１は、シャボン玉液（以下、液ともいう）２を収容するための、液こぼれ防止機能を有する容器である。該シャボン玉容器１は、例えば２〜３歳の幼児対象のものであり、透明乃至半透明の合成樹脂製容器として構成されている。そして該シャボン玉容器１は、図２〜３に示すように、上端中央部に開口３が設けられてなる有底の外容器５と、上下端が開放された挿通孔６を有する筒状を呈し且つ前記開口３を通して前記外容器５内に収容される筒部７の上端周縁部９が前記開口３の周縁部１０に取り付けられる如くなされた内容器１１とを具えている。該外容器５は、図１に示すように手８で握ることのできる細径の下容器部１２の上端１３に、該下容器部１２よりも太径の上容器部１５が、該下容器部１２の軸線と略同心に連設されており、前記内容器１１は、前記筒部７が前記外容器５内（本実施例においては上容器部１５内）に収容された状態で該筒部７の軸線が前記外容器５の軸線に略合致する如くなされ（本実施例においては完全に合致している）、図３に示すように、該筒部７の外面１６と前記上容器部１５の内壁面１７との間に、周方向に連続する拡張収容部１９が形成されている。又、シャボン玉液２を保持する液保持部２０を下端部分に具えて軸状を呈するシャボン玉形成具２１を、前記筒部７の前記挿通孔６に、その上端開口２２を通して挿通させることができ、図３に示すように、該液保持部２０を前記下容器部１２に収容されているシャボン玉液２に浸漬できるようになされている。以下、これをより具体的に説明する。
【００３７】
前記外容器５は、全体がブロー成形で一体に形成されており、図２〜３に示すように、上端開放の有底の円筒状を呈し且つ内周面２３（図３）が周方向で見て平滑な円形の周面として形成されてなる細径の前記下容器部１２の上端に、該下容器部１２の軸線と略同心に、上方に向けて徐々に拡径する拡径筒部としての太径の前記上容器部１５が連設されている。
【００３８】
前記下容器部１２にはシャボン玉液２が収容される。該下容器部１２を細径に構成しているのは、少ない液量であっても水深をできるだけ大きく確保して、前記液保持部２０を該下容器部１２のシャボン玉液２に所要に浸漬できるようにするためである。又、このように細径に形成しているため、幼児であっても握りやすい。
【００３９】
前記上容器部１５は、図２〜３に示すように前記拡張収容部１９を形成する。そして、該上容器部１５の下側の１０ｍｍ程度の幅部分２５（図２）は、上方に向けて拡径する円錐筒部として構成されており、その上側部分２６は、上方に向けて徐々に六角形筒状を呈する如く拡径し、その上面部２７は、平面視で正六角形状を呈している。そして該上面部２７の中央部分に、比較的大きな円形状の前記開口３が設けられている。
【００４０】
かかる構成を有する外容器５の各部の寸法を例示すれば、前記下容器部１２の外径は２５〜５０ｍｍ程度に設定することができる。本実施例においては、幼児が確実に握れることと、該下容器部１２内により多くのシャボン玉液を収容できることを考慮して４０ｍｍ程度に設定している。該下容器部１２の外径が２５ｍｍよりも小さいとシャボン玉液の収容量が少なくなるために液の注ぎ足し回数が増えることになって好ましくなく、幼児対象の場合は、５０ｍｍよりも大きくなると幼児が手で握れなくなるために好ましくない。又、該下容器部１２の高さは４０ｍｍ程度に設定されている。一方、前記上容器部１５の高さは４０ｍｍ程度に設定され、前記正六角形状の直径（中心を通る対角線の長さ）は７０ｍｍ程度で、六角形状の一辺長さは３５ｍｍ程度に、前記開口３の径は３０ｍｍ程度に設定されている。なお、該外容器５はブロー成形によって形成されるため、その肉厚は０．２〜０．３ｍｍ程度であるが、説明の便宜上、図面においては１ｍｍ程度と厚肉に記載している。
【００４１】
前記内容器１１は、例えば射出成形により一体に形成されており、図２〜３に示すように、前記円形状の開口３と略同径の外径を有する円筒状を呈して該開口３を通して前記外容器５内に収容される筒部７の上側部分７ａが、上方に向けてロート状に拡径するロート状部３１とされており、該ロート状部３１の上端縁３２に、前記周縁部１０の上面３３に当接し得る円環状の固定鍔部３５が設けられている。図３に示すように該固定鍔部３５が該周縁部１０に接着や溶着されることにより、該筒部７の前記上端周縁部９（本実施例においては固定鍔部３５）が該開口３の周縁部１０に取り付けられている。
【００４２】
そして該内容器１１は、前記筒部７が前記上容器部１５内に収容された状態で該筒部７の軸線が前記外容器５の軸線に略合致しており、該筒部７の外面１６と前記上容器部１５の内壁面（本実施例においては傾斜面として形成されている）１７との間には、上端が閉塞された前記拡張収容部１９（図３）が該軸線回りに連続する如く形成されている。
【００４３】
かかる構成を有する内容器１１の各部の寸法を例示すれば、前記筒部７の内径が２０ｍｍ程度に設定されると共に前記ロート状部３１の上端開口２２の径が３０ｍｍ程度に設定されている。
【００４４】
かかる構成を有するシャボン玉液容器１の前記下容器部１２に所要量のシャボン玉液２が収容される。そして前記シャボン玉形成具２１は、本実施例においては図１に示すようにストロー型を呈しており、ストロー部３６の筒先に円筒状の前記液保持部２０が膨設されている。該ストロー部３６の全長は１０〜１５ｃｍであり、該液保持部２０は、その外径が１２ｍｍ程度で高さが１０ｍｍ程度の下端開放の円筒状を呈しており、その内面には、多数の液保持用縦溝（図示せず）が周方向に並設されている。
【００４５】
然して図３に示すように、前記内容器１１の前記寸法と前記液保持部２０の前記寸法の関係から、該シャボン玉形成具２１の吹き口３７側の部分３９を手で持って前記液保持部２０を前記上端開口２２を通して下方に挿入させると、該液保持部２０は前記ロート状部３１の円錐状の内周面４０に案内されつつ前記筒部７の下端開口４１を通して前記下容器部１２内に円滑に誘導されることになる。かかることから、幼児であっても該液保持部２０を該下容器部１２内に入れ易い。該下容器部１２に収容されているシャボン玉液２に該液保持部２０を浸漬して後に該シャボン玉形成具２１を引き上げると、該液保持部２０にシャボン玉液が付着しているので、前記吹き口３７を吹くとシャボン玉を形成できる。
【００４６】
前記下容器部１２内に収容するシャボン玉液の収容量は、以下の第１、第２の条件を満たすように設定されるものであり、そのための目印（例えば目安線）４２が、例えば図２に示すように前記下容器部１２の外周面４３に設けられている。
【００４７】
前記第１の条件は、前記液保持部２０にシャボン玉液をよく付着させることができるように、シャボン玉容器１をその底部２９を下にし且つその軸線を上下方向にした立てた状態で、図３に示すように、前記下容器部１２に収容されているシャボン玉液２に前記液保持部２０を所要に浸漬できることである。
【００４８】
前記第２の条件は、シャボン玉容器１の姿勢を、前記内容器１１の上端開口２２が上向きの状態（図３）から逆様状態（図９）に変化させても、シャボン玉液２の液面４５が、常に、前記挿通孔６の先側の端部（前記外容器５を立てた状態で見たときの下端部）４６よりも下に位置するようになされ、シャボン玉液２が該筒部７内に流入しないことである。
【００４９】
以下、シャボン玉容器１内に前記第１、第２の条件を満たす所要量のシャボン玉液２を収容した状態における該容器１の代表的な姿勢について説明する。図４〜５は、前記シャボン玉容器１が、床面等の水平設置面４７に横に寝かせた状態で載置された場合である。この場合は、前記上容器部１５の径が前記下容器部１２の径に比して大きいため、該シャボン玉容器１は、該下容器部１２がその下端４９からその上端５０に向けて上方に傾斜した傾斜状態を呈することになる。これによって、該下容器部１２に収容されていたシャボン玉液２が、該下容器部１２と前記拡張収容部１９とに分かれて収容された状態となる。そしてこの状態で、該下容器部１２に収容されていた該シャボン玉液２の液面４５は前記筒部３０の前記挿通孔６の下の端部４６ａ（前記先側の端部）よりも下に位置する。従って、該シャボン玉液２が前記挿通孔６に流入せず、シャボン玉液２はこぼれない。
【００５０】
このようにシャボン玉容器１を横に寝かせた状態にしても液がこぼれないため、該シャボン玉容器１を床面等の水平設置面４７に立てる必要がない。従って幼児にあっては、該容器１を横に寝かせておけばよく、シャボン玉容器１を立てるという難しい操作を行なわなくてすむ。このようにシャボン玉容器１の取り扱い性が向上するので、幼児にとってシャボン玉遊びの楽しみが増す。
【００５１】
なお本実施例においては図４に示すように、前記上容器部１５の正六角形状の一つの直線状辺部（前記上容器部１５の上端縁部４８の一部分）５１ａとしての転がり防止部５１が該水平設置面４７に線接触状態に当接するため、該寝かせた状態にあるシャボン玉容器１が、例えば図６に矢印で示すように、前記下容器部１２の下部の下端４９（図５）を中心にして円を描くように転がるといった恐れがない。そして、このように横に寝かせた状態においては、図５に示すように、前記下容器部１２と前記上容器部１５の連結部分５３が前記水平設置面４７から浮いた状態となって該連結部分５３の下側に、指先を入れるための指先挿入空間５５が形成されるため、図７に示すように、該指先挿入空間５５の両側部分５６，５６に指先を入れて該シャボン玉容器１を容易につかむことができ、シャボン玉容器１を取り上げ易い。
【００５２】
図８は、例えば、幼児がシャボン玉容器１を傾けてシャボン玉液２を飲む動作をした場合に関するものであり、該シャボン玉容器１は、前記内容器１１の上端開口２２が斜め下向きを呈した４５〜６０度の傾斜状態を呈している。該シャボン玉容器１を傾けるにつれて、前記下容器部１２に収容されていたシャボン玉液２が前記拡張収容部１９に徐々に入っていき、最終的に、該拡張収容部１９に収容された状態となる。このように拡張収容部１９に収容されたシャボン玉液２の液面４５は、前記挿通孔６の上の端部４６ｂよりも下に位置し、該シャボン玉液２が、上向き状態にある前記内容器１１の前記挿通孔６に流入しない。かかることから、幼児がシャボン玉液を誤飲するのを防止できる。なお、前記のように傾ける際にその傾け動作が早い場合は、シャボン玉液の大きな波立ちによって、その一部が前記筒部７の内部に入り込んで前記内容器１１に漏れることもあるが、その量は僅かであって、従来のように多くのシャボン玉液が口に入ることはない。
【００５３】
図９は、幼児が好奇心から前記シャボン玉液容器１を前記上端開口２２が下向きを呈する逆様状態した場合に関するものであり、シャボン玉液２の液面４５が、上向き状態にある前記挿通孔６の上の端部４６ｃよりも下に位置し、シャボン玉液２がこぼれる恐れがない。
【００５４】
図１は前記シャボン玉容器１を、前記上端開口２２を上向き状態にして、幼児が前記下容器部１２を手８で握った様子を示している。該下容器部１２が細径であり且つ前記上容器部１５が太径であるため、図１に示すように、握った手８の上部分５９に、該上容器部１５の拡大した下側部分６０が載った状態となる。これによって、シャボン玉遊びをしている間に前記液保持部２０から垂れたシャボン玉液２が前記シャボン玉容器１の外面６１に付着して容器が滑りやすくなったときも、該下容器部１２が手で握られた状態において前記拡大した下側部分６０が、握った手に対する引っ掛かりとなり、前記外容器５が手から滑り落ちるのを防止できることとなる。
【００５５】
このように細径の下容器部１２が設けられているため、幼児であっても持ち易い。そして、このように手で握った状態で幼児が走り回ったとしても、前記拡張収容部１９の上端６２が前記上容器部１５の前記上面部２７によって閉塞されているため、その際の動揺で容器１内のシャボン玉液が波立ち状態になったとしても、該上面部２７が波消し作用を発揮し、液がこぼれるのを防止できることとなる。例え液こぼれが生じても、その量を僅かに止めることができる。特に本実施例においては、前記下容器部１２の内周面２３を、角形の面ではなく、周方向で見て平滑な円形の周面として形成しているので、幼児がシャボン玉容器１を持って走り回ったとしても液の乱れが生じにくく下容器部１２内で波立ちを起させにくい。
【００５６】
前記したように本発明の特徴の一つは、シャボン玉容器１が小径の下容器部１２を具えていることであり、これによって、シャボン玉容器１に収容されているシャボン玉液２の量がそれ程多くなくとも、前記液保持部２０を所要に浸漬できる水深を容易に確保できる。
【００５７】
ここで比較のために、内容器１１が図３に示すと同様に装着されてなるシャボン玉容器１の径を、該シャボン玉容器１の全長に亘って同径（図３に示す外容器部１５の上端径と同径）とした場合を想定し、図１０に示す該シャボン玉容器１ａと本実施例に係るシャボン玉容器１との作用上の比較を行う。
【００５８】
今、かかる構成のシャボン玉容器１ａに、前記実施例に係る水深と同程度の水深が得られる量のシャボン玉液２を収容したとする。この場合は図１０（Ａ）に示すように、前記シャボン玉形成具２１の液保持部２０をシャボン玉液２に十分に浸漬できるが、図１０（Ｂ）に示すように該シャボン玉容器１を横に寝かせたときは、収容されているシャボン玉液の量によっては、該シャボン玉液が前記筒部７内に流入してシャボン玉液がこぼれてしまうことになる。このようなシャボン玉液のこぼれを防止せんとして、収容するシャボン玉液の量を少なくした場合は、前記液保持部２０をシャボン玉液に浸漬した状態が十分とは言えない場合が生じ、そのため、シャボン玉液の注ぎ足し回数が増える不具合が生ずることとなる。
【実施例２】
【００５９】
図１１、図１２、図１３、図１４は、本発明に係るシャボン玉容器１の他の実施例を示すものであり、内容器１１は実施例１における場合と同様に構成されているが、外容器５の構成が前記とは異なる。なおこれらの実施例においては、該外容器５を構成する前記下容器部１２は、幼児が手で握ることができる小径に構成されている。これらのシャボン玉容器１は、その外容器５が例えば、全体が透明乃至半透明の合成樹脂素材を用いてブロー成形により一体成形されている。そして、前記内容器１１の筒部７の外面１６と前記上容器部１５の内壁面１７との間に、前記軸線回りに連続する如く拡張収容部１９が形成されている。なお該筒部７は、図１１、図１２、図１４においては前記上容器部１５内に収容されており、図１３においては、前記上容器部１５内と前記下容器部１２内とに亘って収容されている。これらのシャボン玉容器１において、実施例１におけると同様にして、後記の下容器部１２の外面に水位の目印４２を設けるのがよい。
【００６０】
図１１に示すシャボン玉容器１は、前記と同様に構成された細径の円筒状を呈する下容器部１２の上端１３に、太径の円筒状を呈する上容器部１５が、該下容器部１２の軸線と略同心に連設されている。該下容器部１２の外径は３５ｍｍ程度であり、該上容器部１５の外径は６０ｍｍ程度に設定されている。又、該下容器部１２の上下長さは４０ｍｍ程度で、該上容器部１５の上下長さは４５ｍｍ程度に設定されている。
【００６１】
図１２に示すシャボン玉容器１は、前記外容器５を構成する細径の下容器部１２も太径の上容器部１５も、共に平面視で正六角形状を呈しており、該下容器部１２と該上容器部１５の軸線は略合致している。前記下容器部１２の正六角形の一辺長さは２０ｍｍ程度に設定されると共に、前記上容器部１５の正六角形の一辺長さは３０ｍｍ程度に設定されている。又、該下容器部１２と該上容器部１５の上下方向の長さは略等しく、４５ｍｍ程度に設定されている。
【００６２】
図１３に示すシャボン玉容器１は、その外容器５が、細径の正六角形筒体として構成された下容器部１２の上端に、該下容器部１２よりも径の大なる偏平な円筒状の上容器部１５が、該下容器部１２の軸線と略同心に連設されている。該シャボン玉容器１を構成する該外容器５の上下方向の長さは９０ｍｍ程度に設定されると共に、該上容器部１５の上下方向の長さは１５ｍｍ程度に設定されている。図１２、図１３に示すように該下容器部１２の外周面を正六角形状に構成する場合は、該下容器部１２を手で握った際に滑りにくい利点がある。
【００６３】
図１４に示すシャボン玉容器１は、その外容器５が、上端面が平面視で正六角形状を呈して下方に向うにつれて細くなる六角錘状を呈しており、その上下長さは９０ｍｍ程度に設定されている。該シャボン玉容器１にあっては、外容器５が六角錘状を呈するために下容器部１２と上容器部１５の境界が明確でないが、該外容器５内に収容するシャボン玉液の必要量（所要の水深を確保できる量）を考慮して、例えば、上下長さが５０ｍｍ程度の下側の部分を下容器部１２とし、その上側部分を上容器部１５とする。
【００６４】
そして図１１（Ｂ）、図１２（Ｂ）、図１３（Ｂ）、図１４（Ｂ）に係るシャボン玉容器１にあっても、前記と同様にして前記目印４２にまでシャボン玉液２が収容され、前記ストロー型のシャボン玉形成具２１の前記液保持部２０を、該下容器部１２に収容されているシャボン玉液２に所要に浸漬させ得る。
【００６５】
又前記外容器５を、前記内容器１１の上端開口２２が上向きの状態から該上端開口２２が下向きの状態を呈する逆様状態に変化させた際の何れの姿勢にあっても、シャボン玉液２の液面４５が、常に、前記挿通孔６の先側の端部（前記外容器５を立てた状態で見たときの下端部）４６よりも下に位置するようになされ、シャボン玉液２が該筒部３０内に流入しない。
【００６６】
例えば、図１１（Ｃ）、図１２（Ｃ）、図１３（Ｃ）、図１４（Ｃ）に示すようにシャボン玉容器１を横に寝かせた状態としたときは、前記下容器部１２に収容されていたシャボン玉液２が該下容器部１２と前記拡張収容部１９とに分かれて収容された状態となり、この状態で、該シャボン玉液２の液面４５が前記筒部７の前記挿通孔６の下の端部４６ａよりも下に位置する如くなされている。従って、該シャボン玉液２が前記挿通孔６に流入せず、シャボン玉液がこぼれるのを防止できる。
【００６７】
又、図１１（Ｄ）、図１２（Ｄ）、図１４（Ｄ）示すように前記外容器５が、前記内容器１１の上端開口２２を下向きにした傾斜状態を呈したとき、前記下容器部１２に収容されていたシャボン玉液２が前記拡張収容部１９に収容された状態となる。そして図１３（Ｄ）にあっては、該下容器部１２に収容されていたシャボン玉液２が、該拡張容器部１９と該下容器部１２とに分かれて収容された状態となる。そしてこれらの状態で、シャボン玉液２の液面４５が、前記挿通孔６の上の端部４６ｂよりも下に位置するため、該シャボン玉液２が前記挿通孔６に流入しない。かかることから幼児がシャボン玉液を誤飲するのを防止できる。
【００６８】
又、図１１（Ｅ）、図１２（Ｅ）、図１４（Ｅ）に示すようにシャボン玉容器１の前記外容器５が逆様状態を呈したときは、前記下容器部１２に収容されていたシャボン玉液２が、前記拡張収容部１９に収容された状態となる。そして図１３（Ｅ）にあっては、前記下収容部１２に収容されていたシャボン玉液２が、該拡張収容部１９と該下容器部１２とに分かれて収容された状態となる。そしてこれらの状態で、シャボン玉液２の液面４５が、前記挿通孔６の上の端部４６ｃよりも下に位置し、シャボン玉液２がこぼれる恐れがない。
【００６９】
そして図１１（Ｂ）、図１２（Ｂ）、図１３（Ｂ）、図１４（Ｂ）に示すように、前記と同様構成のシャボン玉形成具２１の液保持部２０を前記内容器１１の上端開口２２を通して前記下容器部１２内に挿入させるのであるが、この際、該液保持部２０は前記内容器１１の前記ロート状部３１に円滑に案内されて下方向に移動できる。
【実施例３】
【００７０】
図１５〜１８及び図１９はシャボン玉容器１のその他の実施例を示すものであり、シャボン玉液を保持するリング状の液保持部２０を下端部分に具えて軸状を呈するシャボン玉形成具２１（本実施例においては、軸状部６３の下端に該液保持部２０が設けられている）を用いる場合に好都合に構成されている。該シャボン玉形成具２１の前記軸状部６３の全長は１０〜１５ｃｍ程度であり、該リング状の液保持部２０は、例えば、上下に長い楕円形リング状を呈しており、その厚さは１ｍｍ程度である。又その長径は２５ｍｍ程度でその短径が１５ｍｍ程度に設定されている。
【００７１】
これらのシャボン玉容器１，１に係る外容器５は、実施例１における場合と略同様に構成されている。一方、該シャボン玉容器１の内容器１１は、その筒部７の上側部分７ａが、上方に向けてロート状に拡径するロート状部３１とされており、その下側部分７ｂは、その内部空間の長径が２０ｍｍ程度で短径が３ｍｍ程度である楕円形筒部３４として構成されている。
【００７２】
図１５〜１７に示すシャボン玉容器１の前記内容器１１と、図１９に示すシャボン玉容器１の内容器１１の相違点は、図１５〜１７にあっては、前記筒部７の下側部分７ｂの幅が上下全長に亘って等しく設定されているのに対し、図１９にあっては、この幅が、下方に向うにつれて稍細く形成されている点にある。かかる構成を有するシャボン玉容器１にあっても、図１７、図１９（Ａ）に示すように、前記筒部７の外面１６と前記上容器部１５の内壁面１７との間に拡張収容部１９が形成されている。
【００７３】
そして、シャボン玉液２が、前記下容器部１２に所要水深で収容された状態となされている。この状態で、前記シャボン玉形成具２１の前記リング状の液保持部２０を前記内容器１１の上端開口２２を通して前記下容器部１２内に挿入させる。この際、リング状の該液保持部２０は前記内容器１１のロート状部３１に円滑に案内されて下方向に移動できる。
【００７４】
図１７は、該リング状の液保持部２０を前記下容器部１２に収容されているシャボン玉液２に浸漬した状態を示している。この状態で前記シャボン玉形成具２１を引き上げるのであるが、該液保持部２０が前記筒部７の下側部分７ｂを通過する際、余分な液が掻き落とされる。該下側部分７ｂが、その短径が３ｍｍ程度である楕円筒部３４として形成されているからである。そのため、該液保持部２０を引き上げた状態における液垂れを防止できる。このようにしてシャボン玉容器１から引き上げたリング状の液保持部２０を吹くことにより、シャボン玉を形成できる。
【００７５】
又、図１５〜１７、図１９に係るシャボン玉容器１を図１８（Ａ）に示すように横に寝かせた状態としたときも、図１８（Ｂ）に示すように傾斜状態としたときも、或いは図１８（Ｃ）に示すように逆様状態にしたときも、前記と同様にしてシャボン玉液がこぼれる恐れがない。
【００７６】
なお、かかるリング状を呈する液保持部２０を具えたシャボン玉形成具２１と実施例１、実施例２で示したシャボン玉容器１とを組み合わせて、該リング状の液保持部２０を実施例１、２で示した容器内に挿入できることは言うまでもない。
【実施例４】
【００７７】
図２０〜２１は、本発明に係るシャボン玉容器１のその他の実施例に係る前記外容器５の構成を示すものであり、別体に形成された下容器部１２と上容器部１５とを具える。そして、該下容器部１２の上端連結部分６５と該上容器部１５の下端連結部分６６とを着脱可能に連結することによって前記外容器５が構成されている。該下容器部１２と該上容器部１５は、例えばブロー成形によって製造される。
【００７８】
図２０に示す外容器５は、前記下容器部１２の上端連結部分６５の外周面にリング状のゴム製パッキン材６９が装着されている。然して図２０（Ｂ）（Ｃ）に示すように、前記上端連結部分６５と前記下端連結部分６６とを嵌合させると、該ゴム製パッキン材６９が弾性圧縮された状態で前記下容器部１２を前記上容器部１５に着脱可能に連結でき、これによって前記外容器５を構成できる。
【００７９】
又図２１に示す外容器５は、前記下容器部１２の上端連結部分６５と前記上容器部１５の下端連結部分６６とを螺合方式で連結することによって前記外容器５を構成できるようになされている。
【００８０】
前記外容器５をこのように構成する場合は、例えば幼児が前記内容器１１の上端開口２２を通して容器内にビー玉おもちゃや砂等の異物を入れた場合であっても該上容器部１５と該下容器部１２を分離することにより、その異物の取り出しや外容器５内の洗浄を容易に行ない得る利点がある。
【実施例５】
【００８１】
本発明は、前記実施例で示したものに限定されるものでは決してなく、「特許請求の範囲」の記載内で種々の設計変更が可能であることはいうまでもない。その一例を挙げれば次のようである。
【００８２】
(1) 図２２は前記内容器１１の他の態様を示すものであり、前記外容器５の前記開口３を通して該外容器５内に収容される筒部７が、上下方向全長に亘って同径の円筒状に構成された場合を示し、その上端縁３２に、該開口３の周縁部１０に固定される円環状の固定鍔部３５が周設されており、該固定鍔部３５が該周縁部１０に接着や溶着等によって取り付けられる如くなされている。本実施例において該筒部７の内径は、前記ストロー型のシャボン玉形成具２１の円筒状を呈する前記液保持部２０を、該筒部７にその上端開口２２を通して挿通させ得るように設定されており、その内径は例えば２０ｍｍ程度に設定されている。
【００８３】
前記内容器１１の前記筒部７は、前記シャボン玉形成具２１がリング状の液保持部２０を具える如く構成される場合は、図２３に示すように、その上下方向全長に亘って、図１５〜１６に示す内容器１１の下側部分と同様構成の楕円形筒部として構成されることもある。図２３（Ａ）に示されている筒部７は、その正面視の幅が上下全長に亘って等しく設定されており、図２３（Ｂ）に示されている筒部７は、その正面視の幅が、下方に向かうにつれて稍細く形成されている。これら場合、前記外容器５の上端中央部に設けられる開口３は、該楕円形状を呈する筒部７を略密接状態に挿通させ得るように楕円形状開口３ａとして構成される。
【００８４】
(2) 前記内容器１１を構成する前記筒部７は、シャボン玉容器１の姿勢を、前記内容器１１の上端開口２２が上向きの状態から逆様状態に変化させても、シャボン玉液２の液面４５が、常に、前記挿通孔６の先側の端部４６よりも下に位置する限り、例えば図２４（Ａ）に示すように、該筒部７の上端５０から下端４９に向けて若干幅広の逆テーパ状に構成されることもある。又、前記筒部７の上側部分７ａが、上方に向けてロート状に拡径するロート状部３１として構成される場合においても、その下側部分７ｂが、例えば図２４（Ｂ）に示すように逆テーパ状に構成されることもある。このように構成する場合は、前記下容器部１２のシャボン玉液２に浸漬されている前記液保持部２０を引き上げる際、該逆テ−パ状の下側部分７ｂが該液保持部２０をガイドする。
【００８５】
(3) 前記外容器５を水平設置面４７上に横に寝かせた状態に設置したとき、該外容器５の転がりを防止するため、前記実施例においては、上容器部１５の上面部２７の平面視の形状を正六角形状に構成し、図４に示すように、該正六角形状の一つの直線状辺部５１ａとしての転がり防止部５１を水平設置面４７に線接触状態に当接させることとしているが、かかる直線状辺部５１ａを具えるものであれば、該上容器部１５の上面部２７の平面視の形状を、四角形状や五角形状、八角形状等を呈するものとして構成することもできる。図２５は、前記上容器部１５の上面部２７が平面視で円形を呈する場合を想定し、その円弧状縁７３の一部分にのみ、前記転がり防止部５１として機能し得る直線部５１ａを設けた場合を示している。図２５（Ａ）においては該直線部５１ａが一箇所設けられており、図２５（Ｂ）においては該直線部５１ａが対向側に設けられている。
【００８６】
前記転がり防止部５１は、直線状辺部５１ａとして構成されることの他、例えば図２５（ｃ）に示すように、間隔を隔てて隣り合う如く設けられた５１ｂ，５１ｂとして構成されてもよい。
【００８７】
(4) 前記外容器５の前記下容器部１２は、楕円形状の筒状を呈するものであってもよい。
【００８８】
(5) 前記上容器部１５は例えば図２６に示すように、平面視で円形を呈する円錐筒状に構成することもできる。このように構成した場合は、図２６（Ｂ）に示すように、横に寝かせた状態のシャボン玉容器１が、水平設置面４７に接する下容器部１２の下端７５を中心にして矢印で示すように円を描くように転がる恐れはあるが、かかる構成のシャボン玉容器１も本発明に含まれる。
【００８９】
(6) 図２７は、前記内容器１１を構成する筒部７の上端周縁部９を前記外容器５の上端中央部に設けた開口３の周縁部１０に取り付ける他の態様を示すものであり、該開口３の周縁部１０で立設した雄ネジ筒部７０に、該筒部７の上端周縁部９に設けた雌ネジ筒部７１を螺合可能とし、両ネジ筒部７０，７１を螺合一体化した場合を示している。又図２８は、図２０に示す場合と同様にして、リング状のゴム製パッキン材７８を介して前記筒部７の上端周縁部９を前記外容器５の上端中央部に設けた開口３の周縁部１０に嵌合により取り付けた場合を示している。このように構成するときは、図２７（Ａ）、図２８（Ａ）に示すように、螺合状態や嵌合状態を解除することによって内容器１１を外容器５から取り外すことができるため、前記のように、外容器５を、別体の下容器部１２と上容器部１５とを以て構成しなくても、外容器５内の洗浄を行うことが可能となり、又、外容器５内に入れられた異物の取り出しも容易となる。
【００９０】
(7) 図２９は、前記内容器１１を構成する前記筒部７の他の構成を示すものであり、前記下容器部１２に収容されているシャボン玉液２に浸漬された状態にある前記液保持部２０を引き上げる際に該液保持部２０をガイドするガイド筒部７９が設けられている。該ガイド筒部７９は、シャボン玉容器１の姿勢を、前記内容器１１の上端開口２２が上向きの状態から逆様状態に変化させても、シャボン玉液２の液面４５が、常に、前記挿通孔６の先側の端部４６よりも下に位置する限り、前記筒部７の下側部分６ａが、その上端７６からその下端７７に向けて逆テーパ状に拡大する如く構成できる。
【００９１】
(8) 図３０は、シャボン玉容器１のその他の実施例を示すものであり、前記上容器部１５は、その下端４９からその上端５０に亘って横断面六角形状に構成されている。
【００９２】
(9) 前記外容器５を横に寝かせた状態にするとは、該外容器５を前記水平設置面４７上において横に寝かせた状態とする場合の他、空中で横に横に寝かせた状態とする場合を含む。
【符号の説明】
【００９３】
１  シャボン玉容器
２  シャボン玉液
３  開口
５  外容器
６  挿通孔
７  筒部
９  上端周縁部
１０  周縁部
１１  内容器
１２  下容器部
１５  上容器部
１９  拡張収容部
２０  液保持部
２１  シャボン玉形成具
２２  上端開口
２３  内周面
３１  ロート状部
３２  固定鍔部
３６  ストロー部
４７  水平設置面
５１  転がり防止部
５３  連結部分
５５  指先挿入空間
【要約】
【課題】姿勢を変化させてもシャボン玉液がこぼれるのを防止し得るシャボン玉容器を提供する。
【解決手段】上端中央部に開口３が設けられてなる、シャボン玉液２を収容させる外容器５と、上下端が開放された挿通孔６を有する筒状を呈し且つ開口３を通して外容器５内に収容される筒部７の上端周縁部が開口３の周縁部に取り付けられる内容器１１とを具える。外容器５は、細径の下容器部１２の上端に太径の上容器部１５が連設されている。内容器１１の筒部７の外面と上容器部１５の内壁面との間に拡張収容部１９が形成されている。シャボン玉形成具２１の液保持部２０を挿通孔６を通して下容器部１２内のシャボン玉液２に浸漬できる。
【選択図】図３【図１】
0005773296.tif 000002
【図２】
0005773296.tif 000003
【図３】
0005773296.tif 000004
【図４】
0005773296.tif 000005
【図５】
0005773296.tif 000006
【図６】
0005773296.tif 000007
【図７】
0005773296.tif 000008
【図８】
0005773296.tif 000009
【図９】
0005773296.tif 000010
【図１０】
0005773296.tif 000011
【図１１】
0005773296.tif 000012
【図１２】
0005773296.tif 000013
【図１３】
0005773296.tif 000014
【図１４】
0005773296.tif 000015
【図１５】
0005773296.tif 000016
【図１６】
0005773296.tif 000017
【図１７】
0005773296.tif 000018
【図１８】
0005773296.tif 000019
【図１９】
0005773296.tif 000020
【図２０】
0005773296.tif 000021
【図２１】
0005773296.tif 000022
【図２２】
0005773296.tif 000023
【図２３】
0005773296.tif 000024
【図２４】
0005773296.tif 000025
【図２５】
0005773296.tif 000026
【図２６】
0005773296.tif 000027
【図２７】
0005773296.tif 000028
【図２８】
0005773296.tif 000029
【図２９】
0005773296.tif 000030
【図３０】
0005773296.tif 000031
【図３１】
0005773296.tif 000032
【図３２】
0005773296.tif 000033
【図３３】
0005773296.tif 000034